(57)【特許請求の範囲】
【請求項１】
土砂改質装置の土砂改質材供給装置において、周壁部で画成された土砂改質材供給装置内部に設けたスクリーン上面に、土砂改質材供給装置の内部に搬入された袋体を突き破るとともに、袋体の下方部を前記周壁部の内周面に押し付ける周面を有する錐形状の開袋体を設けたことを特徴とする土砂改質装置の土砂改質材供給装置。
【請求項２】
前記周面を有する錐形状の開袋体は、土砂改質材供給装置の平面形状に対応した形状であることを特徴とする請求項１に記載の土砂改質装置の土砂改質材供給装置。
【請求項３】
前記土砂改質材供給装置の平面形状は円形であり、また、前記周面を有する錐形状の開袋体は円錐体であることを特徴とする請求項２に記載の土砂改質装置の土砂改質材供給装置。
【請求項４】
前記土砂改質材供給装置の平面形状は四角形であり、また、前記周面を有する錐形状の開袋体は四角錐体であることを特徴とする請求項２に記載の土砂改質装置の土砂改質材供給装置。
【請求項５】
前記土砂改質材供給装置の内径もしくは内幅は、投入される土砂改質材袋の外形寸法と略同寸から１０％大きく形成されることを特徴とする請求項１から４のいずれかに記載の土砂改質装置の土砂改質材供給装置。
【発明の詳細な説明】
【０００１】
【発明の属する技術分野】
本発明は、上下水道やガス等の管、電気や電話等のケーブルを埋設又は修理のために路面等を掘削した際に出る掘削土砂や、トンネル工事の際の掘削土砂等これら掘削工事によって掘削された掘削土砂に石灰やセメント等の土砂改質材を添加し撹拌して掘削土砂を改質し、再び埋め戻し材として利用するための改良土を製造する土砂改質装置の土砂改質材供給装置の内部に設けたスクリーン上面に錐形状の開袋体を設けた土砂改質材供給装置に関するものである。
【０００２】
【従来の技術】
従来より建設残土と称される上下水道やガス等の管、電気や電話等のケーブルを埋設又は修理のために路面等を掘削した際に出る掘削土砂やトンネル工事の際の掘削土砂等は、建設残土として多量に発生している。これらの建設残土は、従来はそのままその作業現場の近くの山間部あるいは比較的近接した海辺に搬送して埋めたりして処理されていた。
【０００３】
しかし、これら埋め立てに適した場所を確保することが近年難しくなってきており、遠くの場所に建設残土を搬送するに要する費用も多額の費用を要し、また、例え場所的に確保できたとしても埋め立てに対する環境面での規制もあり、建設残土を従来のようにただ単に山間部や海辺に搬送して埋めたてることも困難である。
【０００４】
建設残土を掘削作業現場において、オンサイトで埋め立て処理することが可能であればよいが、一度掘削された建設残土には、砂利やヘドロ、アスファルト片、岩片、コンクリート片等が混在していたり、また、埋め戻し材として利用するには土としての粒径が不揃いであると共に各土粒間の粘結力も劣化しており、これを路床の掘削溝の埋め立て土砂として再利用しても地盤としての必要な支持力を得るのが難しい。
【０００５】
このため、作業現場で発生した掘削土砂をそのまま埋め立てるための土砂として利用することはできないため、埋め立てに必要な良質な土砂を新たに購入し、埋め立てすべき作業現場に搬入して埋め立て土砂として利用している。しかしながら、このように一度掘削して建設残土として発生した掘削土砂もただ捨ててしまえば単なる廃棄物にすぎないが、これに改質処理をすることにより再度資材として有効に利用するため、掘削土砂に石灰やセメント等の土砂改質材を添加して掘削土砂を改質するための掘削土砂改質装置が種々知られている。
【０００６】
掘削土砂改質装置は図１に図示されているように、掘削土砂破砕装置１と土砂改質材供給装置４と混合撹拌装置３とから構成されている。更に、掘削土砂破砕装置１の下方と混合撹拌装置３の上部に亘って、掘削土砂破砕装置１の破砕装置によって破砕し篩装置によって一定の大きさ以下となった篩下の掘削土砂を混合撹拌装置３に搬送供給するためのベルトコンベア２が配置されており、混合撹拌装置３の上部には、石灰やセメント等の土砂改質材を投入供給する土砂改質材供給装置４が設けられている。そして、混合撹拌装置３の下部には、掘削土砂と土砂改質材とが混合撹拌された再度資材として排出された改質土がベルトコンベア５の上に排出されて、ストックヤード６に搬送堆積され、改質再生された埋め立て用の土砂として利用される。
【０００７】
従来の掘削土砂改質装置の混合撹拌装置３に土砂改質材を投入供給する土砂改質材供給装置４は、図６、７に図示されているように、平面形状が円形又は四角形状である周壁部７と、この周壁部７に続く底部８に土砂改質材排出シュート１０を、また周壁部７の上部には土砂改質材が搬入される土砂改質材搬入口９が設けられている。土砂改質材供給装置４の内部の底部８近くには、格子状又はアミ状のスクリーン１１が設けられ、その下にはシャッター装置を有する土砂改質材排出シュート１０が設けられており、シャッター装置の開閉によって土砂改質材が土砂改質材排出シュート１０から混合撹拌装置３に送られる。
【０００８】
そして、この土砂改質材供給装置４への石灰やセメント等の土砂改質材の投入は、１トン前後の土砂改質材を収納したフレコンバック（通称トン袋）と称される布製の袋体１４をクレーンなどの搬送手段の吊下げロープの吊下げフック１５を土砂改質材供給用布製の袋体１４に取付た吊上げロープ１６に掛けて吊上げ、土砂改質材供給装置４上部の土砂改質材搬入口９のところまでに搬入し、その側にいる作業員が土砂改質材を収納した土砂改質材供給用布製の袋体１４の底を刃物などで切り開いて、該布製の袋体１４から土砂改質材を土砂改質材供給装置４の中に落下させ投入している。
【０００９】
また、該布製の袋体１４の底を切り開くために、土砂改質材供給装置４内部の底部８近くに設けたスクリーン１１の上に、刃体の頂点１３を上方に尖らしその下部は放射状に拡がる四本の刃体１２を設け、クレーンなどの搬送手段によって土砂改質材供給装置４の内部に該布製の袋体１４を土砂改質材供給装置４上部の土砂改質材搬入口９から吊下ろして搬入し、該布製の袋体１４の底を前記刃体１２の頂点１３に押し当てることによって土砂改質材供給用布製の袋体１４の底部を切り開いて、土砂改質材供給装置４の内部に前記布製の袋体１４の底から土砂改質材を投入するようにしたりしている。
【００１０】
【発明が解決しようとする課題】
しかしながら、従来の土砂改質材供給装置４上部の土砂改質材供給口９に土砂改質材を搬入し、土砂改質材供給装置４内部に土砂改質材を投入する際、土砂改質材を収納した土砂改質材供給用布製の袋体１４の底を側にいる作業員が刃物などで切り開いて投入するのでは、土砂改質材供給装置４内部に該布製の袋体１４が未だ完全に入っていない状態で該布製の袋体１４の底部を刃物で切開くため、この切開きによって該布製の袋体１４の中に収納されている粉状の土砂改質材が一度に全量が落下するので、土砂改質材供給装置４の周りに飛散してしまい、周辺環境を一時的に悪くするおそれがあり、また、近くで作業をしている作業員が吸い込むおそれがあった。
【００１１】
また、土砂改質材供給装置４の内部の底部８近くに設けたスクリーン１１に設けた放射状に拡がる四本の刃体１２の頂点１３に土砂改質材供給装置４内部に搬入された該布製の袋体１７の底部を押し当てて該布製の袋体１７の底部を切り開らき、該布製の袋体１７に収納された土砂改質材を土砂改質材供給装置４内に投入するのでは、前記布製の袋体１７は完全に土砂改質材供給装置４内部に収容されてはいるものの、土砂改質材供給装置４内部に前記布製の袋体１７を搬入し易いようにするため、土砂改質材供給装置４の開口幅よりも該布製の袋体１４の径が小さくなっているため、土砂改質材供給装置４の周壁部７と該布製の袋体１４の側面との間には隙間１８があり、この隙間１８から投入によって飛散する土砂改質材が土砂改質材供給装置４の周りに飛散してしまう恐れがある。
【００１２】
そこで、本発明は上述した課題によりなされたもので、周壁部で画成された土砂改質材供給装置の内部に設けたスクリーン上面に、土砂改質材供給装置の内部に搬入された袋体の底を突き破るとともに、袋体の下方部を前記周壁部の内周面に押し付ける周面を有する錐形状の開袋体を設け、この周面を有する錐形状の開袋体に該布製の袋体の底を押し当てることによって切り開かれた該布製の袋体の底から土砂改質材が該錐形状の開袋体の周面に沿って、丁度富士山のすそ野を形成するように流出する。そして、この流出する土砂改質材は、該布製の袋体の切り開かれた下方部を土砂改質材供給装置の周壁部側に押し付けて密着させるので、土砂改質材供給装置の周壁部側に常に押し付け密着された該布製の袋体の切り開かれた下方部は、この状態のまま該布製の袋体を吊り上げても土砂改質材の飛散を防ぐフタのような役目をして、該布製の袋体と土砂改質材供給装置の周壁部との間に粉状の土砂改質材が飛散する隙間を無くすようにした土砂改質材供給装置の提供を目的とする。
【００１３】
【課題を解決するための手段】
上記の目的を達成するため、本発明の請求項１に記載の発明は、土砂改質装置の土砂改質材供給装置において、周壁部で画成された土砂改質材供給装置内部に設けたスクリーン上面に、土砂改質材供給装置の内部に搬入された袋体を突き破るとともに、袋体の下方部を前記周壁部の内周面に押し付ける周面を有する錐形状の開袋体を設けたことを特徴とするものである。
【００１４】
また、上記の目的を達成するため、本発明の請求項２に記載の発明は、錐形状の開袋体は、土砂改質材供給装置の平面形状に対応した形状であることを特徴とするものである。また、上記の目的を達成するため、本発明の請求項３、４に記載の発明は、土砂改質材供給装置の平面形状は円形又は四角形であり、また、前記周面を有する錐形状の開袋体は円錐体又は四角錐体であることを特徴とするものである。
【００１５】
また、上記の目的を達成するため、本発明の請求項５に記載の発明は、土砂改質材供給装置の内径もしくは内幅は、投入される土砂改質材袋の外形寸法と略同寸から１０％大きく形成されていることを特徴とするものである。
【００１６】
【発明の実施の形態】
以下、本発明の掘削土砂改質装置の土砂改質材供給装置の実施の形態を図面によって説明する。図１は、掘削土砂改質装置の全体配置図、図２は、本発明の周面を有する円錐体の開袋体を使用した土砂改質材供給装置の縦断面図、図３は、周面を有する円錐体の開袋体をスクリーン上面に設けた概略平面図、図４は、土砂改質材の流れ状態図、図５は、周面を有する四角錐体の開袋体をスクリーン上面に設けた概略平面図である。
【００１７】
本発明の掘削土砂改質装置の全体配置図について説明すると、従来公知の掘削土砂改質装置と同様に図１で先に説明したように掘削土砂破砕装置１と土砂改質材供給装置４と混合撹拌装置３とからなっている。そして更に、掘削土砂破砕装置１の下方と混合撹拌装置３の上部に亘って、掘削土砂破砕装置１の破砕装置によって破砕し篩装置によって一定の大きさ以下となった篩下の掘削土砂を混合撹拌装置３に搬送供給するためのベルトコンベア２が配置されており、そして、混合撹拌装置３の下部には、掘削土砂と土砂改質材とが混合撹拌された再度資材として排出された改質土がベルトコンベア５の上に排出されて、ストックヤード６に搬送堆積され、路床等の掘削溝の改質再生された埋め立て土砂としての再利用される。
【００１８】
次に、図２、３、４、５により本発明の掘削土砂改質装置の土砂改質材供給装置について説明する。符号４は土砂改質材供給装置で、図２、３、４は水平断面形状が円形である場合の実施の態様を示している。また、図５は土砂改質材供給装置４が水平断面形状が四角形である場合の実施の態様を示している。
【００１９】
該土砂改質材供給装置４の周壁部７の上部には土砂改質材が投入される土砂改質材搬入口９が設けられている。そして、土砂改質材供給装置４の周壁部７の下部には、これに続く底部８とこの底部８に続くシャッター装置を有する土砂改質材を排出する土砂改質材排出シュート１０とからなっており、周壁部７とこれに続く底部８との接続部に格子状のスクリーン１１が設けられており、このスクリーン１１の中央部上面には、周面を有する円錐体の開袋体１９が設けられている。なお、スクリーン１１は必ずしも周壁部７と底部８との接続部に限らず、周壁部７の下方又は底部８の上方に設けても良い。また、スクリーン１１は必ずしも格子状のスクリーンに限らず、網状やロッドが並設したタイプのものでも良い。
【００２０】
次に、上述のように水平断面形状が円形で内部に設けられた格子状のスクリーン１１上面中心部に周面を有する円錐体１９を設けた土砂改質材供給装置４に土砂改質材を収納した土砂改質材供給用布製の袋体１４によって土砂改質材を投入する場合について説明する。
【００２１】
クレーンなどの搬送手段によって土砂改質材供給装置４の内部に土砂改質材供給用布製の袋体１４を土砂改質材供給装置４上部の土砂改質材搬入口９から従来同様に搬入される。土砂改質材供給装置４の周壁部７の内周面と土砂改質材供給装置４の内部に搬入された土砂改質材供給用布製の袋体１７の外側とには隙間１８があるので、該袋体１７の底は、土砂改質材供給装置４の内部のスクリーン１１上面に設けられた円錐体１９の頂点２０に押し当たるまで吊り下ろされる。
【００２２】
そして、この円錐体１９の頂点２０は尖っていることから、円錐体１９の頂点２０は、土砂改質材供給装置４の内部に搬入された該袋体１７の底を突き破って開封孔を開け、該袋体１７の底は円錐体１９で該袋体１７に形成された開封孔を更に開きつつ円錐体１９の周面を滑りながらスクリーン１１の上面まで下ろされる。
【００２３】
すると、該袋体１７に収納されている土砂改質材は自重による下方への力と、円錐体１９の周面に沿いながらの滑り落ちによって土砂改質材供給装置４の周壁部７の内周面に向けての側方への力とが生じる。丁度富士山のすそ野を形成するように流出する。そして、この流出する土砂改質材は、該布製の袋体の切り開かれた下方部を土砂改質材供給装置の周壁部側に押し付けて密着させ、この側方への力によって該袋体１７の下方部を前記周壁部７の内周面に押し付けるので、土砂改質材供給装置４の周壁部７の内周面と該袋体１７の下方部とは密着し、土砂改質材供給装置４の周壁部７と該袋体１７との間にあった隙間１８は塞がれる。
【００２４】
このような状態にある該袋体１７をクレーンなどの搬送手段によって上方に吊り上げると、該袋体１７の底は円錐体１９の頂点２０によって孔が開けられているので、この開封孔開けされた前記袋体１７の底から土砂改質材供給装置４内に土砂改質材が放荷される。そして、土砂改質材供給装置４の周壁部７側に常に押し付け密着された該布製の袋体１７の切り開かれた下方部は、この状態のまま該布製の袋体１７を吊り上げても土砂改質材の飛散を防ぐフタの役目をし、土砂改質材の円錐体１９の周面に沿って滑り落ちる際の土砂改質材の側方への力によって常に土砂改質材供給装置４の周壁部７の内周面に押し付けられているので、該袋体１７と該周壁部７の内周面との間に形成されている隙間１８を塞いで土砂改質材供給装置４の内部に投入された粉末状の土砂改質材が大気中に飛散するための隙間を生じることなく吊り上げられる。
【００２５】
このため、従来のように土砂改質材供給装置の内部に設けたスクリーンに放射状に拡がる四本の刃体を設け、この四本の刃体によって土砂改質材供給装置の内部に入れた土砂改質材供給用布製の袋体の底を切り開いて、底から土砂改質材供給装置内に土砂改質材を投入するのでは、土砂改質材供給装置の周壁部と該布製の袋体の側面との間の隙間を通って土砂改質材が土砂改質材供給装置の上部の土砂改質材搬入口から大気中に飛散することがない。
【００２６】
土砂改質材供給装置の内部に投入された土砂改質材は、格子状のスクリーン１１の格子の間を通って土砂改質材供給装置４の底部８に放荷・堆積され、この底部８に続くシャッター装置を有する土砂改質材を排出する土砂改質材排出シュート１０の開閉により、混合撹拌装置３に送り込まれる。
【００２７】
また上述では、土砂改質材供給装置の水平断面形状が円形で、内部に設けられた格子状のスクリーン上面に周面を有する円錐体を設けた場合について説明したが、図５に示すように、土砂改質材供給装置の水平断面形状が四角形で、内部のスクリーン上面に周面を有する四角錐体２１を設けた場合についても、同様の作用効果を奏することができる。
【００２８】
すなわち、土砂改質材供給装置４の内部に吊下げ搬入された土砂改質材供給用布製の袋体１７の底は、スクリーン１１の上面に設け周面を有する四角錐体２１の頂点２２によって孔が開けられて開封され、該袋体１７に収納されている土砂改質材は四角錐体２１の四周面に沿って滑り落ちる際、該袋体１７の下方部に側方への力を与えて常に土砂改質材供給装置４の周壁部７の内周面に押し付けているので、該袋体１７と該周壁部７の内周面との間に内部に投入された土砂改質材が大気中に飛散するための隙間を生じることなく吊り上げられる。
【００２９】
このように、本発明の土砂改質材供給装置は、土砂改質材供給装置の内部に設けたスクリーン上面に、土砂改質材を収納した土砂改質材供給用布製の袋体の底を切開くための周面を有する錐形状の開袋体を設けることによって、
この錐形状の開袋体の周面に該布製の袋体の底を押し当てることによって切り開かれた該布製の袋体の底から土砂改質材が該錐形状の開袋体の周面に沿って、丁度富士山のすそ野を形成するように流出させる。
【００３０】
また、土砂改質材供給装置の内径もしくは内幅と投入される土砂改質材袋の外形寸法との寸法比を略１：１もしくは１．１：１としたので、底部を切り開かれた土砂改質材袋体の切り開かれた下方部が流出する土砂改質材によって土砂改質材供給装置の周壁部側に押し付けて密着される。土砂改質材供給装置の周壁部側に常に押し付け密着された該布製の袋体の切り開かれた下方部は、この状態のまま該布製の袋体を吊り上げても土砂改質材の飛散を防ぐフタのような役目をして、該布製の袋体と土砂改質材供給装置の周壁部との間に粉状の土砂改質材が飛散する隙間を無くし、土砂改質材供給装置の内部に土砂改質材を収納した土砂改質材供給用布製の袋体によって土砂改質材を投入する際に土砂改質材供給装置の周壁部と土砂改質材供給用布製の袋体との間に生ずる隙間から土砂改質材の飛散を防止する。
【００３１】
【発明の効果】
以上説明したように、本発明の土砂改質材供給装置は、周壁部で画成された土砂改質材供給装置の内部に設けたスクリーン上面に、土砂改質材供給装置の内部に搬入された袋体の底を突き破るとともに、袋体の下方部を前記周壁部の内周面に押し付ける周面を有する錐形状の開袋体を設けることによって、該錐形状の開袋体の周面に沿って土砂改質材供給用布製の袋体内の土砂改質材を土砂改質材供給装置の周壁部側に押しやることにより、土砂改質材供給用布製の袋体を土砂改質材供給装置の周壁部に密着させ、開袋の際に土砂改質材供給装置から粉状の土砂改質材が飛散する隙間を無くしたので、土砂改質材供給装置の内部に土砂改質材を収納した土砂改質材供給用布製の袋体によって土砂改質材を投入する際に土砂改質材供給装置の周壁部と土砂改質材供給用布製の袋体との間に生ずる隙間から土砂改質材の飛散を防止することができる。
【図面の簡単な説明】
【図１】掘削土砂改質装置の全体配置図、
【図２】本発明の周面を有する円錐体の開袋体を使用した土砂改質材供給装置の縦断面図、
【図３】周面を有する円錐体の開袋体をスクリーン上面に設けた概略平面図、
【図４】土砂改質材の流れ状態図、
【図５】周面を有する四角錐体の開袋体をスクリーン上面に設けた概略平面図、
【図６】刃体の開袋体を使用した従来の土砂改質材供給装置の縦断面図、
【図７】刃体の開袋体をスクリーンの上面に設けた概略平面図。
【符号の説明】
１  掘削土砂破砕装置、  ２  ベルトコンベア、  ３  混合撹拌装置、
４  土砂改質材供給装置、  ５  ベルトコンベア、  ６  ストックヤード、
７  周壁部、  ８  底部、  ９  土砂改質材搬入口、
１０  土砂改質材排出シュート、  １１  スクリーン、  １２  刃体、
１３  刃体の頂点、  １４  土砂改質材供給用の袋体、  １５  吊上げフック、
１６  吊上げロープ、
１７  土砂改質材供給装置の内部に搬入された土砂改質材供給用の袋体、
１８  隙間、  １９  周面を有する円錐体の開袋体、
２０  円錐体の開袋体の頂点、  ２１  周面を有する四角錐体の開袋体、
２２  四角錐体の開袋体の頂点。
【図１】
0003639503.tif 000002
【図２】
0003639503.tif 000003
【図３】
0003639503.tif 000004
【図４】
0003639503.tif 000005
【図５】
0003639503.tif 000006
【図６】
0003639503.tif 000007
【図７】
0003639503.tif 000008